(57)【要約】【課題】ルアー本体に対して確実に振動効果を与えるとともに、羽を備えた小さな昆虫が水面に落下し、水面や水中で羽を含む全体が細かく振動しているような状況等を再現することが可能な振動式ルアーを提供することにある。【解決手段】羽を持った昆虫の形態を有するルアー本体と、ルアー本体に内蔵され、昆虫の羽ばたきを連想させる振動をルアー本体に与える振動モータと、振動モータを駆動させる電池と、釣り糸を引いたり緩めたりすることによってＯＮ−ＯＦＦし、電流を導通させて振動モータの駆動や停止を作動させるスイッチとを備えたことを特徴とする振動式ルアー。【選択図】          図２
2004357526.tif 000002
【特許請求の範囲】
【請求項１】
羽を持った昆虫の形態を有するルアー本体と、ルアー本体に内蔵され、昆虫の羽ばたきを連想させる振動をルアー本体に与える振動モータと、振動モータを駆動させる電池と、釣り糸を引いたり緩めたりすることによってＯＮ−ＯＦＦし、電流を導通させて振動モータの駆動や停止を作動させるスイッチとを備えたことを特徴とする振動式ルアー。
【請求項２】
羽を持った昆虫の形態を有するルアー本体を釣人が水上へ投げたときに、常に上記羽上部が水面をたたく位置に着水姿勢を保持できるように重量バランスを考慮したことを特徴とする請求項１に記載の振動式ルアー。
【請求項３】
ワームの形態を有するルアー本体と、ルアー本体に内蔵され、ワームの動きを連想させる振動をルアー本体に与える振動モータと、振動モータを駆動させる電池と、釣り糸を引いたり緩めたりすることによってＯＮ−ＯＦＦし、電流を導通させて振動モータの駆動を開始させるスイッチとを備えたことを特徴とする振動式ルアー。
【請求項４】
釣り糸を引いたり緩めたりすることによってＯＮ−ＯＦＦし、電流を導通させて振動モータの駆動や停止を作動させるスイッチが、ルアー本体の傾きを感知してＯＮ−ＯＦＦ動作をする傾斜水銀スイッチ等からなることを特徴とする請求項１または２に記載の振動式ルアー。
【発明の詳細な説明】
【０００１】
【発明の属する技術分野】この発明は、魚釣りに際して使いやすく、特に振動モータで昆虫の羽の羽ばたきやワームの動きを連想させる振動を発生させ、より大きな釣果を上げることが可能となる振動式ルアーに関する。
【０００２】
【従来の技術】従来のルアーにおいても、魚の泳動に近似した振動動作を与えるために、図７のようにルアー本体１の先端にリップ形状の突起物３を設けたり、胴や尾部に細かく振れるようなひれ状の突起物を設けたり、水中を進行する際に回転する回転体を取り付けるようにしたものが知られている。
【０００３】また、ルアー本体に振動モータを内蔵させて、魚の泳動に近似した振動動作を与えるようにしたものも、例えば特開平１１−９１４２号公報（特許文献１参照）等に提案されているところである。
【０００４】上記特開平１１−９１４２号公報の振動式ルアーは、ルアー本体に振動を与える振り子と、その振り子を駆動する振動モータと、その振動モータに電力を供給するための太陽電池とをルアーヘッドに内蔵したルアーであって、そのルアーヘッドの先端には傾斜面が設けられており、この傾斜面が受ける水中における流体的な力によって、前記振動式ルアーに潜航および浮上を繰り返させ、魚体の微妙な振動を伝えるとともに、遊泳動作による視覚効果を狙ったものである。
【０００５】
【特許文献１】特開平１１−９１４２号公報
【０００６】
【発明が解決しようとする課題】上記先行技術のように、振り子を振動モータで回転させて振動を付与し、さらにルアーヘッドの部分の傾斜面で潜航や浮上を繰り返させる構造では、水の流れの急なところでは威力を発揮しても、緩やかな流れや淀みの場所ではほとんど威力が発揮されないという欠点があった。
【０００７】しかしながら、魚の関心は水面を移動する昆虫により大きく向けられているのであって、上記先行技術によっては水面を移動する昆虫のような挙動を得ることはできなかった。すなわち、羽を備えた小さな昆虫が水面に落下し、水面や水中で羽を細かく震わせているような状況を再現することはできなかったのである。
【０００８】本発明の目的は、このような問題点を改善し、ルアー本体に対して確実に振動効果を与えるとともに、例えば羽を備えた小さな昆虫が水面に落下し、水面や水中で羽を細かく震わせているような状況を再現することが可能な振動式ルアーを提供することにある。
【０００９】
【課題を解決するための手段】上記課題を解決するため、この発明の振動式ルアーは、羽を持った昆虫の形態を有するルアー本体と、ルアー本体に内蔵され、昆虫の羽ばたきを連想させる振動をルアー本体に与える振動モータと、振動モータを駆動させる電池と、釣り糸を引いたり緩めたりすることによってＯＮ−ＯＦＦし、電流を導通させて振動モータの駆動や停止を作動させるスイッチとを備えたことを特徴とするものである。
【００１０】この発明の振動式ルアーは、上記羽を持った昆虫の形態を有するルアー本体を釣人が水上へ投げたときに、常に上記羽上部が水面をたたく位置に着水姿勢を保持できるように重量バランスを考慮したことをも特徴とするものである。
【００１１】この発明の振動式ルアーは、ワームの形態を有するルアー本体と、ルアー本体に内蔵され、昆虫の動きを連想させる振動をルアー本体に与える振動モータと、振動モータを駆動させる電池と、釣り糸を引いたり緩めたりすることによってＯＮ−ＯＦＦし、電流を導通させて振動モータの駆動を開始させるスイッチとを備えたことをも特徴とするものである。
【００１２】この発明の振動式ルアーは、上記釣り糸を引いたり緩めたりすることによってＯＮ−ＯＦＦし、電流を導通させて振動モータの駆動や停止を作動させるスイッチが、ルアー本体の傾きを感知してＯＮ−ＯＦＦ動作をする傾斜水銀スイッチ等からなることをも特徴とするものである。
【００１３】この発明によれば、ルアー本体に対して確実に振動効果を与えるとともに、例えば羽を備えた小さな昆虫が水面に落下し、水面や水中で羽を細かく震わせているような状況を再現することが可能な振動式ルアーを提供することが可能となった。
【００１４】
【発明の実施の形態】以下、この発明の実施の形態を図面を参照して詳細に説明する。
【００１５】図１は、この発明の振動式ルアーの１実施例を示す斜視図、図２はその分解状態を示す斜視図、図３は内部構造の説明図、図４はスイッチの構造を示す概略図、図５はこの発明の振動式ルアーをワーム型のルアーに適用した実施例の概略図、図６はその要部拡大図である。
【００１６】図１ないし図３において、１１は例えばセミの形態を模したルアー本体で、目玉１５を備えた頭部１３と、内部を中空とした胴部１７と、胴部１７の上面に取り付けた羽１９とで構成されている。
【００１７】より詳しくは、頭部１３はキャップ状に形成されていて、外側には糸（道糸）２１が装着してあり、ルアー本体１１側の内面には雌ネジ２３が設けられている。ルアー本体１１の胴部１７の筒状先端２５の外周には、雄ネジ２７が設けられており、頭部１３の雌ネジ２３が装着される。２９は雄ネジ７の先端に取り付けたＯリング状パッキングで、胴部１７の気密性を保持するためのものである。筒状先端２５は容器状に形成されており、例えば円盤状のボタン電池３０が収納保持される。
【００１８】中空の胴部１７の内部には小型振動モータ３１が内蔵されている。この小型振動モータ３１としては、東京パーツ工業株式会社のＦＭシリーズ等が好適に使用できる。この小型振動モータ３１は外部偏心ウェイトを省いた偏平モータであり、小型で薄型の振動モータとして知られている。もちろん、棒状の小型振動モータ等を使用してもよい。
【００１９】３３は、ハウジングの側壁と底部とに接点Ａ，Ｂを設けた傾斜水銀スイッチであり、小型振動モータ３１およびボタン電池３０に接続されている。この傾斜水銀スイッチ３３は、水平に置かれた状態においては水銀３５は側壁の接点Ａと接触していない。使用時には震動や釣人が釣り糸を引き寄せることによる水中での傾きに応じて、図４に示すように傾斜水銀スイッチ３３中の水銀３５が後方に移動して接点Ａと接触し、傾斜水銀スイッチ３３は導通状態となって小型振動モータ３１が作動する。
【００２０】ルアー本体１１は、上述のように中空の胴部１７と、胴部１７の上面に取り付けた羽１９とを備えているが、胴部１７内に内蔵した小型振動モータ３１や傾斜水銀スイッチ３３が錘りの役目をするので、通常は羽１９が水面に浮かぶよう保持される。その際に小型振動モータ３１が作動すると、その振動が羽１９に伝達され、あたかも羽１９が羽ばたいているような挙動を水面に与えることができる。また、ルアー本体１１の中空の胴部１７内にラトル等の異音を発生する部材を１ないし数個入れておくことにより、上記羽ばたきと相まって振動とともに異音を発生し、より一層セミの形態を模したルアーの挙動を再現することが可能となる。
【００２１】図１ないし図３に示す３７は、胴部１７の前後にそれぞれ取り付けられた釣り針である。
【００２２】このような構成により、この発明の振動式ルアーは以下のように動作する。まず、岸辺やボートから投入して釣り糸を引く時は、傾斜水銀スイッチ３３中の水銀３５が後方に移動して接点Ａと接触し、傾斜水銀スイッチ３３は導通状態となって小型振動モータ３１が作動を始める。このように釣人が振動式ルアーをたぐり寄せると振動し、また釣り糸を緩めると振動式ルアーが水平になって傾斜水銀スイッチが切れる状態になって振動が止まる。したがって、あたかも羽１９が羽ばたいていて、水面をもがいているような挙動を振動式ルアーに与え、魚を吸引するのである。
【００２３】振動式ルアーの傾きや波、釣り糸によって前方や上方へ引っ張ったり、緩めたりすること等によって、ルアー本体１１は傾いたり水平になったりする状態となるので、小型振動モータ３１は作動・停止状態を繰り返すことを連続し、あたかも羽１９が羽ばたいているような挙動を水面に与え続け、その存在を対象魚に認識させる。
【００２４】図５および図６はこの発明の振動式ルアーをワーム型のルアーに適用した実施例について説明している。すなわち、軟質のプラスチックやゴム素材からなるワーム型のルアー本体４１の適所には、防水ケース式の振動ユニット４２が収納されている。この振動ユニット４２は、振動モータ４４を内蔵した本体ハウジング４３と、電池４６を収納した開閉蓋４５とで構成され、開閉蓋４５はＯリングパッキン４７を介して本体ハウジング４３に防水可能に取り付けられるようになっている。４８は振動ユニット４２の本体ハウジング４３外周面に取り付けた糸通しで、道糸を振動ユニット４２の一方の側のルアー本体４１に通した後この糸通し４８に通し、さらに他方の側のルアー本体４１に通した上で釣り針４９を保持するようになっている。したがって、振動ユニット４２のいずれかの側のルアー本体４１が釣り針４９等とともに食いちぎられても振動ユニット４２は残り、繰り返し使用することができるのである。
【００２５】また、開閉蓋４５はスイッチ機能をも備えており、開閉蓋４５を閉めることにより電池４６と振動モータ４４とが導通して振動モータ４４が振動し続け、開閉蓋４５を緩めることによって振動モータ４４が駆動を停止するようになっている。この実施例を用いて、このようなスイッチ機能を備えた開閉蓋４５を採用した例について説明したが、スイッチ機能を備えた開閉蓋４５を前記セミの形態を模したルアー等に応用してもよいことはもちろんである。
【００２６】この実施例の振動式ルアーは、海や川、湖のような足場の悪いところでの電池の交換も容易なキャップ式スイッチを採用しており、釣りをしながら防水式の開閉蓋４５への電池のセットが簡単にできるので、それらの操作が容易に行なえるようになった。
【００２７】またワーム型のルアー本体４１の外部にＯＮ−ＯＦＦ操作のためのスイッチが露出しておらず、防水性、耐久性のみならず、外観における違和感もなく、操作面においても取り扱いやすいワーム型のルアーを提供することができる。
【００２８】さらにワーム型のルアー本体４１の外部にＯＮ−ＯＦＦ操作のためのスイッチが露出しておらず、防水性、耐久性のみならず、外観における違和感もなく、操作面においても取り扱いやすいワーム型のルアーを提供することができる。
【００２９】
【発明の効果】以上のように、この発明によれば、ルアー本体に対して確実に振動効果を与えるとともに、例えば羽を備えた小さな昆虫が水面に落下し、水面や水中で羽を細かく震わせているような状況を再現することが可能な振動式ルアーを提供することが可能となった。
【００３０】また、傾斜水銀スイッチによって、使用中は常に釣り糸を引くことで振動モータの作動可能な姿勢を保持させているので、振動モータを釣人の意志やテクニックで作為的かつ効率的に作動させることができる。
【図面の簡単な説明】
【図１】この発明の振動式ルアーの１実施例を示す斜視図である。
【図２】その分解状態を示す斜視図である。
【図３】内部構造の説明図である。
【図４】スイッチの構造を示す概略図である。
【図５】この発明の振動式ルアーをワーム型のルアーに適用した実施例の概略図である。
【図６】その要部拡大図である。
【図７】従来の振動式ルアーの１例を示す側面図である。
【符号の説明】
１１  ルアー本体
１３  頭部
１５  目玉
１７  胴部
１９  羽
２１  糸（道糸）
２３  雌ネジ
２５  筒状先端
２７  雄ネジ
２９  Ｏリング状パッキング
３０  ボタン電池
３１  小型振動モータ
３３  傾斜水銀スイッチ
３５  水銀
３７  釣り針
４１  ワーム型のルアー本体
４２  振動ユニット
４３  本体ハウジング
４４  振動モータ
４５  開閉蓋
４６  電池
４７  Ｏリングパッキン
４８  糸通し
４９  釣り針
Ａ，Ｂ  接点
【図１】
2004357526.tif 000003
【図２】
2004357526.tif 000004
【図３】
2004357526.tif 000005
【図４】
2004357526.tif 000006
【図５】
2004357526.tif 000007
【図６】
2004357526.tif 000008
【図７】
2004357526.tif 000009